(57)【要約】【課題】  既存の認証システムを利用することができるとともに、第三者が容易に類推できないパスワードを、個人の管理や記憶に依存することなく、容易に利用することのできる個人認証用情報記録媒体および認証方法を提供すること【解決手段】  本発明の情報記録媒体１０は、銀行名１１、個人名１２、口座番号１３が表面に印刷され、乱数表１４が表面に印刷されていることを特徴としている。認証されるべき個人は、この乱数表１４を利用して、自分のパスワードを導き出す。【選択図】  図１
2006331374.tif 000002
【特許請求の範囲】
【請求項１】
記号羅列表を備えたことを特徴とする個人認証用情報記録媒体。
【請求項２】
前記記号羅列表が乱数表であることを特徴とする請求項１に記載の個人認証用情報記録媒体。
【請求項３】
個人が有する情報記録媒体を認証装置に導入し、前記認証装置に入力されたパスワードに基づいて個人認証を行う認証方法において、前記情報記録媒体が請求項１または２に記載の個人認証用情報記録媒体であることを特徴とする認証方法。
【発明の詳細な説明】
【技術分野】
【０００１】  本発明は、被認証者認証用情報記録媒体および認証方法に関する。
【背景技術】
【０００２】  ＡＴＭ用キャッシュカードに代表される各種金融カードを利用するためには、通常、個人を認証するためのパスワードが必要である。しかし、カードが複数枚となるとパスワードの記憶および管理が困難となり、だからといって電話番号や生年月日をパスワードにすると第三者に容易に悪用されることになる。
そこで、パスワードを用いることなく個人認証を行うために、様々な手法が提案されている。例えば音声を利用する方法（特許文献１）や、生体情報を利用する方法（特許文献２）などがある。【０００３】
【特許文献１】  特開２００５−３７７８１号公報
【特許文献２】  特開２００３−３０１５４号公報
【発明の開示】
【発明が解決しようとする課題】
【０００４】  しかしながら、生体の特徴に基づく個人認証方法は、システムの構築に膨大な時間およびコストがかかるとともに、個人の究極的な情報を利用するものでもあるために、これを敬遠する者も多い。
したがって本発明の目的は、既存の認証システムを利用することができるとともに、第三者が容易に類推できないパスワードを、個人の管理や記憶に依存することなく、容易に利用することのできる個人認証用情報記録媒体および認証方法を提供することにある。
【課題を解決するための手段】
【０００５】  請求項１の発明は、記号羅列表を備えたことを特徴とする個人認証用情報記録媒体である。
請求項２の発明は、前記記号羅列表が乱数表であることを特徴とする請求項１に記載の個人認証用情報記録媒体である。
請求項３の発明は、個人が有する情報記録媒体を認証装置に導入し、前記認証装置に入力されたパスワードに基づいて個人認証を行う認証方法において、前記情報記録媒体が請求項１または２に記載の個人認証用情報記録媒体であることを特徴とする認証方法である。
【発明の効果】
【０００６】  本発明によれば、既存の認証システムを利用することができるとともに、第三者が容易に類推できないパスワードを、個人の管理や記憶に依存することなく、容易に利用することのできる個人認証用情報記録媒体および認証方法が提供される。
【発明を実施するための最良の形態】
【０００７】  以下、本発明をさらに詳しく説明する。
本発明の個人認証用情報記録媒体は、従来から公知公用の一般的な情報記録媒体、例えば各種ＡＴＭ用キャッシュカード、クレジットカード等をそのまま利用することができるが、その表面に、記号羅列表を備えたことを特徴としている。
記号羅列表に用いられる記号としては、数字；ひらがな；かたかな；漢字；アルファベット、ギリシャ文字、ラテン文字に代表される外国語文字；通貨記号；文字様記号；罫線素線；幾何学模様；装飾記号などが挙げられ、とくに制限はない。しかし、既存のシステムを利用でき、かつ認識が容易で間違いが生じにくいことから数字を用いるのが好ましい。さらに好ましくは、記号羅列表として乱数表を用いるのがよい。乱数表を用いる場合、これを個別に作成し、情報記録媒体の表面に貼付するだけでよいので簡便である。これとは別に、情報記録媒体の表面に乱数表を印刷してもよい。【０００８】  次に、本発明の情報記録媒体の使用方法について説明する。なお、以下はキャッシュカードに乱数表を印刷した例について説明するが、本発明は下記例に制限されるものではない。
図１は、本発明の情報記録媒体を説明するための図である。キャッシュカードとしての情報記録媒体１０は、従来から公知公用のキャッシュカードを利用するものであり、銀行名１１、個人名１２、口座番号１３が表面に印刷されている。本発明の情報記録媒体１０は、前記銀行名１１、個人名１２、口座番号１３とともに、乱数表１４が表面に印刷されていることを特徴としている。【０００９】  よく知られているように、キャッシュカードの所有者（被認証者）となるためには、あらかじめ銀行から送付された登録用紙に、必要な個人情報とともにパスワードを記載するわけであるが、この登録用紙とともに、キャッシュカードに印刷される予定である前記乱数表１４と全く同一の乱数表が、例えば紙に印刷などされたりして被認証者に送付される。被認証者は、この乱数表を利用してパスワードを決定する。パスワードの決定方法の幾つかの例について説明する。【００１０】  被認証者Ａの場合
図２は、乱数表１４の一例である。被認証者Ａは、乱数表１４の左上から時計回りに４つの数字をピックアップする。すなわち、図２の乱数表１４において、被認証者Ａがピックアップした数字は、「８８１９」となる。しかし、単に乱数表１４の左上から時計回りに４つの数字をピックアップしただけでは、悪意の第三者に容易に類推される可能性がある。したがって、被認証者Ａは、「８８１９」の平方根の小数点以下の最初の４つの数字をパスワードとする。すなわち、√８８１９＝９３．９０９５３であるので、被認証者Ａのパスワードは、「９０９５」となる。なお、通常ＡＴＭには電卓が常備されているので、平方根の計算は容易である。【００１１】  被認証者Ｂの場合
被認証者Ｂは、乱数表１４の左上から時計回りに右上、右下、左下の４つの数字をピックアップする。すなわち、図２の乱数表１４において、被認証者Ｂがピックアップした数字は、「８６６９」となる。しかし、この場合も、乱数表１４からの数字のピックアップ方法が単純なので、悪意の第三者に容易に類推される可能性がある。したがって、被認証者Ｂは、前記と同様に「８６６９」の平方根を基にしてパスワードを決定してもよいし、８６６９の二乗の下４桁をパスワードとしてもよい。８６６９２＝７５１５１５６１であるので、被認証者Ｂのパスワードは、「１５６１」となる。【００１２】  被認証者Ｃの場合
被認証者Ｃは、乱数表１４の右上の数字「６」から左斜め方向に一つおきに４つの数字をピックアップし、パスワードとする。すなわち、図２の乱数表１４において、被認証者Ｃがピックアップした数字は、「６９３３」となる。このピックアップ方法は、前記被認証者ＡおよびＢに比べて複雑であるので、悪意の第三者に容易に類推される可能性は少ない。しかし、必要に応じて「６９３３」の平方根または二乗値をもとにしてパスワードを形成してもよい。【００１３】  なお、前記は本発明を説明するために幾つかの例を記載したものであり、乱数表１４からのピックアップ方法、ピックアップされた数字の加工方法（平方根、二乗値）などは、上記に制限されず、被認証者が自由に設定すればよい。また乱数表１４は、１０列・７行として例示したが、これより大きくても小さくてもよい。乱数表１４が小さい場合は、数字に法則性が生じる場合もあるが、故意に法則性を付与しない場合であれば、本発明でいう「乱数表」と呼ぶことにする。【００１４】  なお、キャッシュカードの更新等により、新たなキャッシュカードが被認証者に送付される場合は、この新しいキャッシュカードには、先のキャッシュカードと同一の乱数表１４が新たなキャッシュカードに印刷または貼付されている必要がある。【００１５】  被認証者Ａ〜Ｃは自らのパスワードを記憶する必要はないが、自らが定めた乱数表からパスワードを導き出すルールを記憶に留めておく必要がある。【００１６】  被認証者Ａ〜Ｃが、その後新たに他行の複数枚のキャッシュカードを作成した場合も、前述のルールを用いてパスワードを設定することにより、キャッシュカード毎に異なるパスワードが設定され、尚且つ個々のパスワードを記憶する必要もない。（乱数表の行数・列数は世界共通に設定する。）【００１７】  上記のように、本発明によれば、被認証者は、悪意の第三者が予測できないランダムな数字を簡単にパスワードとして決定することができる。したがって、キャッシュカードを紛失したとしてもキャッシュカードを悪用される危険性が極めて少ない。また本発明によれば、ほとんどの被認証者は自分のパスワードを記憶していないことになる。したがって、うっかり他人にパスワードを喋ってしなう等の事故が生じない。
したがって本発明によれば、既存の認証システムを利用することができるとともに、第三者が容易に類推できないパスワードを、個人の管理や記憶に依存することなく、容易に利用することのできる個人認証用情報記録媒体および認証方法が提供される。
なお前記では、キャッシュカードに乱数表を印刷した例について説明したが、本発明の情報記録媒体は、キャッシュカード以外にも、クレジットカード等の各種金融カード、セキュリティカードなど、パスワードが必要な媒体に好適に利用することができる。
【図面の簡単な説明】
【００１８】
【図１】  本発明の情報記録媒体を説明するための図である。
【図２】  乱数表の一例である。
【符号の説明】
【００１９】  １０    情報記録媒体
１１    銀行名
１２    個人名
１３    口座番号
１４    乱数表
【図１】
2006331374.tif 000003
【図２】
2006331374.tif 000004